(57)【要約】      （修正有）【課題】空中を安全に浮遊することができ、ゆっくりと地上に降りることができる空中安全浮遊器を提供する。【解決手段】アルミ製骨組みの本体に、ひも、網固定器具を取りつけ、ヘリウムガスを注入したゴム製玉子型薄型容器を、ビニール製網とビニール製ひもで二重に固定する。前方と左右に回転羽根を取りつけ、草刈機用のエンジンで回転させる。【選択図】図１
0003166751.tif 000002
【実用新案登録請求の範囲】
【請求項１】
アルミ製骨組みの本体（２）に、ゴム製玉子型容器（１）２個をヘリウムガス注入し、より空中に浮く前にビニール製網（４）とビニール製ひも（５）で固定するためのビニール製網（４）とビニール製ひも（５）を設け、アルミ製骨組みの本体（２）に固定するためのひも、網固定器具（１３）を取り付けることにより、ヘリウムガスを入れることによって、アルミ製骨組み本体（２）のゴム製玉子型容器（１）の収まる所を平なアルミ製板（１１）を取り付けることによりゴム製の玉子型容器（１）の形が飛行機の翼のような形になり翼が前に進むことにより空気抵抗を受けて浮く２つの要素を取り入れることにより、さらに回転羽根（７）を使用し、浮く力と前に進む能力を持つように構成し、玉子型は丸い球ではなく、横に置くと片方が丸みがあり片方はとがっている形であるが、ヘリウムガスを入れた上部側はビニール製網（４）とビニール製ひも（５）は弾力があり王子の片側の形を残しているが、下側のアルミ製板（１１）の方は平に押されるため平の形になり、飛行機の羽根の形になりヘリウムガスの浮力と、飛行機の羽根の浮力を１つの羽根で共有するように構成された空中安全浮遊器。
【考案の詳細な説明】
【技術分野】
【０００１】この考安は、空中を安全に浮遊することが出来る空中を飛ぶ事に関するものである。
【背景技術】
【０００２】従来空中を浮く事の出来る物や飛ぶことの出来る機械はあった。
【特許文献１】
【非特許文献】
【考案の開示】
【考案が解決しようとする課題】
【０００３】空中を飛んでいた所、機械の不具合により地上に落ちた時に、衝撃を受け大きな損傷を招く事が多い。この欠点を除くためになされたものである。
【課題を解決するための手段】
【０００４】薄型アルミ製骨組みの本体（２）の上に、ゴム製玉子型薄型容器（１）を設け、空の状態の時は偏平の状態であるが、ヘリウムガスを入れる事により、玉子型にふくらんで行くゴム製玉子容器（１）を、さらにビニール製網（４）でアルミ製骨組みの本体（２）に固定し、ビニール製ひも（５）で二重にアルミ製骨組みの本体（２）に結ぶ。これにより飛行機の翼のような浮力を得る翼の型になるように、アルミ製骨組みの本体（２）の台は、アルミ製板（１１）を設けてあるために下にはふくらまないので、上はビニール製網（４）とビニール製ひも（５）で固定してあるのでふくらみます。この性質を生かすと、空気よりも軽いヘリウムの性質と前に進むことにより、浮力を得る翼の性質が加わり、空中に浮くための性質を持つための機能としての役割の機械を小さく出来、人間が背負って歩いても浮力で浮いているために、自分の体重の１／１０くらいにしておくことにより、地上に足が付いているために歩行することが出来、草刈機のエンジンを右側、左側を同時に回すことにより、真上に浮くことが出来ます。さらに前の回転羽根（７）を回すことにより前に進みます。
右に回る場合は左側の回転羽根（７）を回すことにより右に曲がり左側に曲がる場合は右の回転羽根（７）を回すことにより曲がります。回転羽根の回りにザル状の荒目の金網（１４）そして、蓋を付けるための外側には、平な金網（８）を設けます。回転羽根（７）が回転することにより何かを巻き込む危険があるので安全のために取り付けます。また２個のゴム製玉子型容器（１）が２つ設けてあるのは、１個の容器にヘリウムガスが抜けてしまう事故が起きても、もう１個のヘリウムガスの入ったゴム製玉子型容器（１）が残っていることにより、急速に地上に落下することはなくゆっくりと地上に降りて来るために安全である。また回転羽根（７）を回していない時はゆっくりと地上に降りて来て、地上で歩くことが出来るので安全である。本考案は、以上のような構成よりなる空中安全浮遊器である。
【考案の効果】
【０００５】ヘリウムガスで浮いて、草刈機用のエンジンで回転羽根（７）を回して時速５ｋｍ〜１０ｋｍでゆっくり飛び、回転羽根（７）を停止させても、ゆっくり降下するので安全である。
【考案を実施するための最良の形態】
【０００６】ヘリウムガスを入れた時に足が地上から離れ完全に浮いてしまう状態であると、体の自由を奪われるので足が地上に接地している状態であること。跳躍すると、ゆっくりと空中に浮いて、また地上に降下し、足が付く状態に戻る。もしも体が浮いてしまったら重りを加えることにより足が地上に付くようにする。
【実施例１】
【０００７】（イ）アルミ製骨組み本体（２）にビニール製ひも（５）とビニール製網（４）を縛るために穴の空けたひも、網固定器具（１３）を取り付ける。アルミ製骨組み本体（２）には、エンジンと回転羽根（７）を取り付けておく。
（ロ）ゴム製玉子型容器（１）は、ヘリウムガスを入れない時には偏平状態なので別に収納出来る。ヘリウムガスを入れると玉子型にふくらみ、空中に浮くので、最初からビニール製網（４）とビニール製ひも（５）でアルミ製骨組みの本体（２）に穴の空けてある器具のひも・網固定器具（３）に縛り付ける。
（ハ）ヘリウムガスを入れると、体重の１／１０くらいが良い。足は地に付き歩けるような状態で回転羽根（７）を回し、浮上するための回転羽根（７）を取り付ける。この時、回転羽根（７）を回すための機械が重くならないように、回転羽根（７）１個をエンジン１個で駆動させるため、軽量で小型の草刈機のエンジンを使用する。
４個の回転羽根（７）を回すと浮上出来、前に進む時は、前方の回転羽根（７）を回し、右側の回転羽根（７）を回すと左に方向を変え、左側の回転羽根（７）を回すと右側に回り、回転羽根（７）を停止させるとゆっくりと、地上に降りることが出来、安全である。
【産業上の利用可能性】
【０００８】高速で飛んだりすることは出来ないが空に浮いている時、不安でないため誰でも空に浮くことに積極的になれる。緊急な時空から地上をよく視察する場合、安全に地上の出来事、風景の探索などが詳しく出来る。
【図面の簡単な説明】
【０００９】
【図１】本考案の斜視図である。
【図２】本考案の分解斜視図である。
【図３】本考案の分解斜視図である。
【図４】本考案の分解斜視図である。
【図５】本考案の分解斜視図である。
【図６】本考案の分解斜視図である。
【図７】本考案の分解斜視図である。
【図８】本考案の正面図である。
【図９】本考案の側面図である。
【符号の説明】
【０００１０】１  ゴム製玉子型容器
２  アルミ製骨組みの本体
３  ゴム製尾翼容器
４  ビニール製網
５  ビニール製ひも
６  草刈機エンジン
７  回転羽根
８  金網
９  車輪
１０  座椅子
１１  尾翼
１３  ひも・網固定器
１４  ざる型  金網
【図１】
0003166751.tif 000003
【図２】
0003166751.tif 000004
【図３】
0003166751.tif 000005
【図４】
0003166751.tif 000006
【図５】
0003166751.tif 000007
【図６】
0003166751.tif 000008
【図７】
0003166751.tif 000009
【図８】
0003166751.tif 000010
【図９】
0003166751.tif 000011
【図１０】
0003166751.tif 000012
【手続補正書】
【提出日】平成23年1月25日(2011.1.25)
【手続補正１】
【補正対象書類名】明細書
【補正対象項目名】０００９
【補正方法】変更
【補正の内容】
【０００９】
【図１】本考案の斜視図である。
【図２】本考案の分解斜視図である。
【図３】本考案の分解斜視図である。
【図４】本考案の分解斜視図である。
【図５】本考案の分解斜視図である。
【図６】本考案の分解斜視図である。
【図７】本考案の分解斜視図である。
【図８】本考案の正面図である。
【図９】本考案の側面図である。
【図１０】本考案の分解斜視図である。